(57)【要約】【課題】眼科装置の操作に関して、手動による操作と音声による操作が可能な技術を提供する。【解決手段】眼科装置（例えばスリットランプ）の制御装置であって、ＧＵＩの操作により、前記眼科装置を制御する制御コマンドを生成するスリットランプ制御ドライバーソフト２０２と、音声データに基づき、前記制御コマンドの少なくとも一部を生成する音声／制御コマンド変換部２０４とを備える眼科装置の制御装置２００。【選択図】図２
2020039662.tif 000002
【特許請求の範囲】
【請求項１】
眼科装置の制御装置であって、
ＧＵＩの操作により、前記眼科装置を制御する制御コマンドを生成する制御コマンド生成部と、
音声データに基づき、前記制御コマンドの少なくとも一部を生成する音声／制御コマンド変換部と
を備える眼科装置の制御装置。
【請求項２】
眼科装置の制御方法であって、
ＧＵＩの操作により、前記眼科装置を制御する制御コマンドを生成する制御コマンド生成ステップと、
音声データに基づき、前記制御コマンドの少なくとも一部を生成する音声／制御コマンド変換ステップと
を備える眼科装置の制御方法。
【請求項３】
コンピュータに読み取らせて実行させるプログラムであって、
コンピュータに
ＧＵＩの操作により、前記眼科装置を制御する制御コマンドを生成する制御コマンド生成ステップと、
音声データに基づき、前記制御コマンドの少なくとも一部を生成する音声／制御コマンド変換ステップと
を実行させる眼科装置の制御用プログラム。
【発明の詳細な説明】
【技術分野】
【０００１】
本発明は、眼科装置を制御する技術に関する。
【背景技術】
【０００２】
特許文献１には、音声により制御される眼科装置について記載されている。
【先行技術文献】
【特許文献】
【０００３】
【特許文献１】特開２０１４−９４３１３号公報
【発明の概要】
【発明が解決しようとする課題】
【０００４】
眼科装置を用いた診察や検査の際、検者の手がふさがっており、所定の操作が行えない場合がある。例えば、検者の一方の手が眼科装置の被検眼に対する位置を調整するレバーを握り、他方の手が被検眼の瞼を開く開瞼作業を行っている状況において、可視光撮影モードから赤外光撮影モードへの変更を行うには、一方の手が行っている作業を中断する必要がある。
【０００５】
このような背景において、本発明は、眼科装置の操作に関して、手動による操作に加えて音声による操作が可能な技術の提供を目的とする。
【課題を解決するための手段】
【０００６】
本発明は、眼科装置の制御装置であって、ＧＵＩの操作により、前記眼科装置を制御する制御コマンドを生成する制御コマンド生成部と、音声データに基づき、前記制御コマンドの少なくとも一部を生成する音声／制御コマンド変換部とを備える眼科装置の制御装置である。
【０００７】
本発明は、方法の発明として把握することもできる。また本発明は、プログラムの発明として把握することもできる。
【発明の効果】
【０００８】
本発明によれば、眼科装置の操作に関して、手動による操作に加えて音声による操作が可能な技術が得られる。
【図面の簡単な説明】
【０００９】
【図１】実施形態の概念図である。
【図２】実施形態のブロック図である。
【図３】処理の手順の一例を示すフローチャートである。
【発明を実施するための形態】
【００１０】
（概要）
図１には、眼科装置の一例であるスリットランプ１００、スリットランプ１００の動作制御を行うＰＣ（パーソナルコンピュータ）２００が示されている。スリットランプ１００は、角膜や結膜の状態を立体的に観察するための眼科装置である。ここでは、眼科装置としてスリットランプ１００の例を示すが、視力測定装置、眼圧測定装置、眼球の屈折率測定装置、眼底カメラ、走査型レーザー検眼鏡、光干渉断層計（ＯＣＴ:optical coherence tomography）といった他の形態の眼科装置も利用可能である。
【００１１】
ＰＣ２００は、本体２１０を備え、本体２１０には、操作キーボード２２０、ディスプレイ装置２３０、ポインティングデバイスであるマウス２４０が接続されている。ＰＣ２００は、市販されている通常の仕様のものであり、ＣＰＵ、各種メモリ、ハードディスク装置、インターフェース装置を備えている。
【００１２】
ＰＣ２００には、市販のＯＳがインストールされ、各種のアプリケーションソフトの利用が可能な状態とされている。ＰＣ２００とスリットランプ１００との間の通信は、ＵＳＢ規格の通信やＬＡＮ回線等を用いて行われる。
【００１３】
ＰＣ２００には、スピーカ付マイク３００が接続されている。スピーカ付マイク３００は、スリットランプ１００およびＰＣ２００を操作する検者からの音声を検出する。検出された音声は、ＰＣ２００に入力される。なお、被検者の声を検出し、眼科装置の操作を行う構成も可能である。
【００１４】
（ＰＣの構成）
ＰＣ２００は、図２の機能部を備えている。図２には、ＧＵＩ制御部２０１、スリットランプ制御ドライバーソフト（スリットランプ制御ドライバー部）２０２、音声情報受付部２０３、音声→制御コマンド変換部２０４が示されている。
【００１５】
ＧＵＩ制御部２０１は、ＰＣ２００に予めインストールされているＯＳによって実現される機能であり、キーボード２２０やマウス２４０を操作することで、ＰＣ２００に対するＧＵＩ(Graphical User Interface)を用いた各種の操作を実現する。また、本実施形態では、ＰＣ２００が操作されることでスリットランプ１００が操作されるが、このＰＣ２００によるスリットランプ１００の操作もＧＵＩ制御部２０１の機能によって行われる。
【００１６】
スリットランプ制御ドライバーソフト（スリットランプ制御ドライバー部）２０２は、ＰＣ２００を用いてスリットランプ１００の制御を行うドライバーソフトウェアである。なお、スリットランプ制御ドライバーソフト２０２によって、ハードウェアとして機能するスリットランプ制御ドライバー部が構成される。スリットランプ制御ドライバーソフト２０２は、ＰＣ２００の操作を受け、スリットランプ１００を操作するための制御コマンドを生成する。この制御コマンドがスリットランプ１００に送られ、各種の動作制御が行なわれる。
【００１７】
また、スリットランプ１００が撮影した画像の画像処理といった一部の処理がＰＣ２００の側で行われるが、この処理に係るプログラムも上記スリットランプ制御ドライバーソフト２０２に含まれている。スリットランプ制御ドライバーソフト２０２は、スリットランプ１００の動作制御に用いられる専用のアプリケーションソフトであり、市販のＯＳ上で動作するように構成されている。
【００１８】
音声情報受付部２０３は、スピーカ付マイク３００が検出した音声の情報（音声信号）を受け付ける。音声情報受付部２０３は、ＰＣ２００が備えた音声データを扱うインターフェース機能を利用して構成されている。この例において、音声情報受付部２０３は、Ａ／Ｄコンバータ機能を備え、受け付けた音声情報をＰＣ２００の内部で扱えるデジタルデータに変換する。
【００１９】
音声→制御コマンド変換部２０４は、音声情報受付部２０３が受け付けた音声信号に基づきスリットランプ１００の動作を制御する制御コマンド（制御信号）を生成する。具体的には、音声情報受付部２０３でデジタル音声信号に変換された音声データから、音声認識ソフトにより音声の内容を読み取り、この音声の内容に対応した制御コマンドを生成する。
【００２０】
スリットランプ制御ドライバーソフト２０２が生成する制御コマンドは予め調べてあり、取得した音声の情報に基づき、音声→制御コマンド変換部２０４において対応する制御コマンドが生成される。制御コマンドの内容としては、例えば、撮影画像の波長の切り替え、拡大倍率の変更等が挙げられる。
【００２１】
音声→制御コマンド変換部２０４で生成される制御コマンドは、スリットランプ制御ドライバーソフト２０２が生成する制御コマンドの全てである必要はなく、その一部であってもよい。例えば微妙な調整が必要な制御は、ＰＣ２００のＧＵＩを用いた方が効果的であり、また使い勝手も良い。よって、このような制御は音声による制御の対象としなくてもよい。
【００２２】
（処理の一例）
以下、処理の一例を説明する。図３に処理の一例を実行するフローチャートを示す。図３のフローチャートを実行するためのプログラムは、ＰＣ２００内の適当な記憶領域に記憶され、ＰＣ２００のＣＰＵによって実行される。このプログラムをサーバに記憶させ、そこからダウンロードして利用する形態も可能である。
【００２３】
以下の処理は、ＰＣ２００によりスリットランプ１００の操作が可能な状態で開始される。まず、ＰＣ２００のＧＵＩを用いたスリットランプ１００の操作が行なわれた場合、当該ＧＵＩの操作内容に対応した制御コマンドがスリットランプ制御ドライバーソフト（スリットランプ制御ドライバー部）２０２で生成され、それがスリットランプ１００に送られる。そして当該制御コマンドによるスリットランンプ１００の操作が行われる（ステップＳ１０１）。
【００２４】
そして、音声情報を受け付けた場合（ステップＳ１０２）、その音声情報を解析する（ステップＳ１０３）。ここで、この解析結果に該当する制御コマンドがある場合、その制御コマンドを生成する（ステップＳ１０４）。この制御コマンドに基づき、スリットランプ１００の動作制御が行なわれる。ここで、ステップＳ１０３とＳ１０４の処理は、音声／制御コマンド変換部２０４で行われる。
【００２５】
上記の処理によれば、オペレータの両手が塞がっている状況で、検者の音声によるスリットランプ１００の操作が可能となる。例えば、スリットランプ１００を用いた検査において、検者の一方の手がスリットランプ１００の位置の調整を行い、他方の手が被検眼の瞼を開く開瞼作業を行っている状況において、可視光撮影モードから赤外光撮影モードへの変更が検者の音声による指示で可能となる。
【産業上の利用可能性】
【００２６】
本発明は、眼科装置を操作する技術に利用することができる。
【符号の説明】
【００２７】
１００…スリットランプ、２００…ＰＣ、２１０…本体、２２０…キーボード、２３０…ディスプレイ、２４０…マウス、３００…マイク付スピーカ。
【図１】
2020039662.tif 000003
【図２】
2020039662.tif 000004
【図３】
2020039662.tif 000005